(57)【特許請求の範囲】
【請求項１】
断熱箱体内の庫内の空気を循環ファンで循環させるとともに、この循環ファンの駆動モータが断熱箱体の上側に載置されている恒温庫において、
前記駆動モータが、モータ取付板に取り付けられ、
このモータ取付板と前記断熱箱体との間には第１クッション材が配置され、
前記モータ取付板には、ボルト用貫通孔が形成され、
このボルト用貫通孔には上側から、取付板用ボルトが押さえ板および第２クッション材を介して挿入され、この取付板用ボルトの先端が第１クッション材を貫通して断熱箱体にねじ込まれ、
前記駆動モータの取付フランジには貫通孔が形成され、
モータ用ボルトがこの貫通孔に挿入されてモータ取付板に螺合して、取付フランジがモータ取付板に取り付けられており、
前記モータ用ボルトの先端はモータ取付板の下面から、前記第１クッション材へ突出していることを特徴としている恒温庫。
【請求項２】
断熱箱体内の庫内の空気を循環ファンで循環させるとともに、この循環ファンの駆動モータが断熱箱体の上側に載置されている恒温庫において、
前記駆動モータが、モータ取付板に取り付けられ、
このモータ取付板と前記断熱箱体との間には第１クッション材が配置され、
前記モータ取付板には、ボルト用貫通孔が形成され、
このボルト用貫通孔には上側から、取付板用ボルトが押さえ板および第２クッション材を介して挿入され、この取付板用ボルトの先端が第１クッション材を貫通して断熱箱体にねじ込まれ、
前記駆動モータの取付フランジには貫通孔が形成され、
モータ用ボルトがこの貫通孔に挿入されてモータ取付板に螺合して、取付フランジがモータ取付板に取り付けられており、
前記モータ取付板のボルト用貫通孔の径と取付板用ボルトのネジ部の径との差が、前記駆動モータの取付フランジの貫通孔の径とモータ用ボルトのネジ部の径との差よりも大きいことを特徴としている恒温庫。
【発明の詳細な説明】
【０００１】
【発明の属する技術分野】
本発明は、断熱箱体内の庫内の空気を循環ファンで循環させるとともに、この循環ファンの駆動モータが断熱箱体の上側に載置されている恒温庫に関し、特に、ハードディスクなどの電気部品や精密部品などを設定温度でテストを行うための恒温庫に関する。
【０００２】
【従来の技術】
従来の恒温庫を図５を用いて簡単に説明する。図５は従来の恒温庫の断面図である。庫内０１の空気は循環ファン０２により循環する。この循環ファン０２を駆動する駆動モータ０３は、断熱箱体０４の上側に配置されており、駆動モータ０３の取付フランジ０３ａがボルト０６で断熱箱体０４に固定されている。また、庫内０１の空気の循環路には、冷却器０７および加熱ヒーター０８が設置され、循環する空気を冷却や加熱することができる。庫内０１の下側にはユニット格納室０９が配置され、このユニット格納室０９内に、冷却器０７と共に冷凍サイクルを構成する圧縮機０１１や凝縮器０１２が格納されている。この圧縮機０１１や凝縮器０１２はユニットベース０１３に取り付けられ、このユニットベース０１３が、ユニット格納室０９を構成する構造部材０１４にボルトなどにより固定されている。また、ユニットベース０１３上には、凝縮器０１２を冷却するための凝縮器用ファン０１６などが取り付けられている。
【０００３】
ハードディスクなどの電気部品や精密部品などのテスト部品をテストする際には、テスト部品を部品テスト装置（図示しない）に装着し、庫内０１の棚０１７上に収納する。そして、温度検出器０１８の検出温度が所定の温度となるように、冷却器０７や加熱ヒーター０８で庫内０１内の温度が調整される。テストは、テスト部品が運転している状態で行われる。
【０００４】
【発明が解決しようとする課題】
ところで、循環ファン０２や駆動モータ０３などで発生した振動が、断熱箱体０４、棚０１７および部品テスト装置などを介して、運転状態のテスト部品に伝わることがある。また、圧縮機０１１や凝縮器用ファン０１６のモータなどで発生した振動が、ユニットベース０１３、ユニット格納室０９の構造部材０１４、庫内０１を形成する断熱箱体０４、棚０１７および部品テスト装置などを介して、運転状態のテスト部品に伝わることがある。そして、このテスト部品に伝わった振動が、運転中のテスト部品に悪影響を与え、正常品であるにもかかわらず、不良品であると誤判断されることがある。
【０００５】
本発明は、以上のような課題を解決するためのもので、テスト部品などに伝わる振動を極力減少させることができる恒温庫を提供することを目的としている。
【０００６】
【課題を解決するための手段】
本発明の恒温庫は、断熱箱体（１）内の庫内（３）の空気を循環ファン（４）で循環させるとともに、この循環ファンの駆動モータ（５１）が断熱箱体の上側に載置されている。また、前記駆動モータが、モータ取付板（５２）に取り付けられ、このモータ取付板と前記断熱箱体との間には第１クッション材（５６）が配置され、前記モータ取付板にはボルト用貫通孔（５２ｂ）が形成され、このボルト用貫通孔には上側から、取付板用ボルト（６１）が押さえ板（５９）および第２クッション材（５８）を介して挿入され、この取付板用ボルトの先端が第１クッション材を貫通して断熱箱体にねじ込まれている。
【０００７】
【０００８】
そして、前記駆動モータの取付フランジ（５１ａ）には貫通孔（５１ｂ）が形成され、モータ用ボルト（５３）がこの貫通孔に挿入されてモータ取付板に螺合して、取付フランジがモータ取付板に取り付けられており、前記モータ用ボルトの先端はモータ取付板の下面から、前記第１クッション材へ突出している。
【０００９】
また、前記モータ取付板のボルト用貫通孔の径と取付板用ボルトのネジ部の径との差が、前記駆動モータの取付フランジの貫通孔の径とモータ用ボルトのネジ部の径との差よりも大きいことがある。
【００１０】
【００１１】
【発明の実施の形態】
次に、本発明における恒温庫の実施の一形態を図１ないし図４を用いて説明する。図１は実施の一形態の恒温庫の断面図である。図２は図１の要部拡大図である。図３は恒温庫の冷媒回路図である。図４は実施の一形態の恒温庫の運搬時の説明図で、（ａ）が要部断面図、（ｂ）が要部拡大断面図である。
【００１２】
恒温庫の上部は、前面が開口している断熱箱体１で構成されている。この断熱箱体１の前面開口は、断熱扉２で開閉自在に閉塞されている。断熱箱体１の内部空間すなわち庫内３には空気循環路が形成され、この空気循環路に配置された循環ファン４により庫内３の空気が循環している。そして、庫内３に棚５が設けられている。また、空気循環路には冷却器６および加熱ヒーター７が配置され、循環している空気を冷却したり、また、加熱したりしている。庫内３の温度は温度検出器８が検出する。そして、この温度検出器８の検出値が設定値になるように、図示しない制御装置が冷却器６および加熱ヒーター７を制御しており、庫内温度は所望の値（たとえば、０℃から６０℃の間の温度）になる。
【００１３】
一方、恒温庫の下部すなわち断熱箱体１の下側には、ユニット格納室１６が形成されている。このユニット格納室１６は、構造部材であるアングル材１７で組み立てられており、このアングル材１７は断熱箱体１を支持している。また、ユニット格納室１６の下側には、ユニット格納室１６を支持する主支持脚１８が複数設けられている。ユニット格納室１６の下部横桁２１は溝型材で構成され、ボルト用貫通孔２２および支持脚用貫通孔２３が上下に貫通して形成されている。
【００１４】
ユニット格納室１６内には、ユニットベース２６が配置されており、このユニットベース２６上に、凝縮器３１、圧縮機３２および凝縮器用ファン３３などが載置固定されている。この凝縮器３１および圧縮機３２は、前記冷却器６と共に冷凍サイクルを構成している。ユニットベース２６にはナット３４が固着されているとともに、ユニット用支持脚３６が取り付けられている。このユニット用支持脚３６は、下部横桁２１の支持脚用貫通孔２３に挿通された状態で配置されている。そして、恒温庫が設置場所などに運搬される際には、図４（ａ）に図示するように、ユニットベース２６は下部横桁２１上に載置され、下部横桁２１の下側から、ボルト３７が筒状のカラー３８および下部横桁２１のボルト用貫通孔２２に挿入されて、ユニットベース２６のナット３４に螺合している。そして、このボルト３７によりユニットベース２６は下部横桁２１上に固定されている。この状態では、ユニット用支持脚３６の下端は、主支持脚１８の下端よりも下方に突出している。
【００１５】
そして、恒温庫が設置面４１に設置される際には、ボルト３７およびカラー３８が取り外され、図１に図示するように、ユニット用支持脚３６により、ユニットベース２６が上昇し、ユニットベース２６とユニット格納室１６の下部横桁２１との間に空間（たとえば、約５ｍｍ）が形成され、ユニットベース２６はユニット格納室１６の構造部材であるアングル材１７や下部横桁２１などと接触しなくなる。
【００１６】
次に、恒温庫の冷凍サイクルについて簡単に説明する。図３に示すように、冷凍サイクルは、圧縮機３２、凝縮器３１、減圧装置であるキャピラリーチューブ４３および冷却器６などを、順次冷媒配管４４で接続して構成されている。そして、冷却運転時には、圧縮機３２および、凝縮器３１を空冷する凝縮器用ファン３３が稼働しており、圧縮機３２は気体状の冷媒を加圧して凝縮器３１に吐出する。この凝縮器３１で冷媒は空冷されて液化し、ついで、キャピラリーチューブ４３に流入して減圧された後に、冷却器６に供給される。この冷却器６において、冷媒は周囲の熱を奪い、そして、再び、圧縮機３２に戻っている。この様にして、冷却器６は周囲の空気を冷却することができる。
【００１７】
さらに、断熱箱体１の上方には、循環ファン４を駆動する駆動モータ５１が配置されている。そして、この駆動モータ５１を断熱箱体１に取り付ける構造を図２に基づいて説明する。駆動モータ５１の下側には金属製のモータ取付板５２が配置され、このモータ取付板５２にはボルト孔５２ａが貫通して形成されている。また、駆動モータ５１の取付フランジ５１ａには貫通孔５１ｂが形成されている。そして、モータ用ボルト５３を取付フランジ５１ａの貫通孔５１ｂの上側から挿入してモータ取付板５２のボルト孔５２ａに螺合し、モータ用ボルト５３の先端をモータ取付板５２の下面よりも下方に突出させる。
【００１８】
モータ取付板５２と断熱箱体１との間に、ゴム板からなる第１クッション材５６を配置する。したがって、前述のモータ用ボルト５３の先端は、モータ取付板５２の下面から第１クッション材５６へ突出している。また、モータ取付板５２にはボルト用貫通孔５２ｂが形成されている。このボルト用貫通孔５２ｂの上側には、貫通孔５８ａを有するゴム板からなる第２クッション材５８が、そして、この第２クッション材５８の上側には、貫通孔５９ａを有する押さえ板５９が配置されている。取付板用ボルト６１をこの押さえ板５９の貫通孔５９ａの上側から挿入して、第２クッション材５８の貫通孔５８ａ、モータ取付板５２のボルト用貫通孔５２ｂおよび第１クッション材５６の貫通孔５６ａを通って、その先端を断熱箱体１に螺合させ、取付板用ボルト６１で押さえ板５９、第２クッション材５８、モータ取付板５２および第１クッション材５６を締めつける。したがって、モータ取付板５２は第２クッション材５８と第１クッション材５６とで挟持された状態で固定される。
【００１９】
また、モータ取付板５２が取付板用ボルト６１に金属接触しないように、モータ取付板５２のボルト用貫通孔５２ｂの径は取付板用ボルト６１のネジ部の径よりも十分大きく形成されている。すなわち、ボルト用貫通孔５２ｂの内面の全周と取付板用ボルト６１との間に隙間が形成されている。また、モータ取付板５２のボルト用貫通孔５２ｂの径と取付板用ボルト６１のネジ部の径との差は、駆動モータ５１の取付フランジ５１ａの貫通孔５１ｂの径とモータ用ボルト５３のネジ部の径との差よりも大きくなっている。さらに、モータ取付板５２のボルト用貫通孔５２ｂの径は、押さえ板５９の貫通孔５９ａの径、第２クッション材５８の貫通孔５８ａの径や第１クッション材５６の貫通孔５６ａの径よりも大きく形成されている。
【００２０】
ところで、前述のように、ユニットベース２６は運搬時と設置後とで上下に変位するので、この変位を許容するように、図１および図４（ａ）に図示するように、凝縮器３１から冷却器６への冷媒配管４４および冷却器６から圧縮機３２への冷媒配管４４の両者が各々、ユニット格納室１６内において、略水平に延在する水平部分４４ａを有している。この水平部分４４ａが図１に図示する状態と図４（ａ）に図示する状態との間で変位することにより、冷媒配管４４などに無理な力が加わることを防止している。
【００２１】
そして、恒温庫で、ハードディスクなどの電気部品や精密部品などのテスト部品をテストする際には、テスト部品を部品テスト装置（図示しない）に装着し、庫内３の棚５上に収納する。そして、温度検出器８の検出値が所定の温度となるように、冷却器６や加熱ヒーター７で庫内３内の温度が調整される。また、テストは、テスト部品が運転している状態で行われる。
【００２２】
この様に構成されている実施の形態の恒温庫は、断熱箱体１の上側に配置されている駆動モータ５１の取付フランジ５１ａが、駆動モータ５１の下面よりも大きなモータ取付板５２の上面に取り付けられ、このモータ取付板５２が第２クッション材５８および第１クッション材５６で挟持された状態で断熱箱体１に取り付けられている。したがって、駆動モータ５１の振動や循環ファン４の振動は、取付フランジ５１ａからモータ取付板５２に伝達される際にまず減衰し、ついで、モータ取付板５２に伝達された振動が大きなモータ取付板５２に広がる際に減衰し、さらに、モータ取付板５２からの振動が第２クッション材５８および第１クッション材５６で減衰している。その結果、駆動モータ５１の振動や循環ファン４の振動が断熱箱体１に伝わることを極力防止することができる。しかも、モータ取付板５２のボルト用貫通孔５２ｂは、その径が大きくなっており、取付板用ボルト６１に接触しておらず、駆動モータ５１の振動や循環ファン４の振動が取付板用ボルト６１を伝って断熱箱体１に伝達することを防止している。その結果、駆動モータ５１の振動や循環ファン４の振動が、庫内３内のテスト部品に伝わることが減少し、テスト部品が正常品であるにもかかわらず、不良品であると誤判断されることを極力防止することができる。
【００２３】
そして、モータ用ボルト５３の先端がモータ取付板５２の下面から第１クッション材５６に突出しており、モータ取付板５２を第１クッション材５６上に載置する際の位置決めを容易に行うことができるとともに、モータ取付板５２と第１クッション材５６との相対位置が大きく変位することを防止することができる。
【００２４】
また、実施の形態の恒温庫は、設置状態では、ユニットベース２６はユニット格納室１６の構造部材であるアングル材１７や下部横桁２１には接触しておらず、ユニットベース２６上の凝縮器用ファン３３のモータや圧縮機３２などの振動が、ユニットベース２６を介してアングル材１７や下部横桁２１に伝達されることはない。したがって、凝縮器用ファン３３のモータや圧縮機３２などの振動が、庫内３内のテスト部品に伝わることが減少する。その結果、正常品であるにもかかわらず、不良品であると誤判断されることを極力防止することができる。
【００２５】
また、運搬中は、ユニットベース２６はユニット格納室１６の下部横桁２１に固定されており、ユニットベース２６が不用意に移動して破損したり故障したりすることを防止することができる。
【００２６】
さらに、ユニットベース２６のユニット用支持脚３６は、下部横桁２１の支持脚用貫通孔２３に挿通されて配置されており、地震などの際に、ユニットベース２６がユニット格納室１６内において大きく前後左右に変位することを防止することができる。
【００２７】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、第１クッション材５６および第２クッション材５８はゴム板で構成されているが、その材質は適宜変更可能である。ただし、ゴム板であることが好ましい。また、モータ取付板５２の材質も適宜選択可能である。ただし、金属であることが強度上好ましい。
【００２８】
（２）水平部分４４ａの個数や配置は適宜変更可能である。ただし、凝縮器３１から冷却器６への冷媒配管４４および冷却器６から圧縮機３２への冷媒配管４４の少なくとも一方は、ユニット格納室１６内において、略水平に延在する水平部分４４ａを複数有していることが好ましい。また、水平部分４４ａは、ユニットベース２６の上下の変位を許容するように、略水平に延在していれば良い。
【００２９】
（３）実施の形態においては、減圧装置はキャピラリーチューブであるが、減圧装置は膨張弁でも可能である。
（４）恒温庫を、ハードディスクなどの電気部品や精密部品などのテスト以外の用途に使用することも可能である。
【００３０】
（５）運搬時にユニットベース２６を支持するユニット格納室１６の構造部材は、必ずしも下部横桁２１ではなく、他の部材であることも可能である。
（６）ユニット用支持脚３６は、支持脚用貫通孔２３に挿通されているが、必ずしも挿通される必要はない。
（７）実施の形態では、冷却器６および加熱ヒーター７の両者が設けられているが、必ずしも設ける必要はない。ただし、少なくとも、一方は設けられていることが好ましい。
【００３１】
【発明の効果】
本発明によれば、循環ファンの駆動モータが、モータ取付板に取り付けられ、このモータ取付板と前記断熱箱体との間には第１クッション材が配置されるとともに、前記モータ取付板が第１クッション材および第２クッション材で挟持された状態で固定されている。そのため、循環ファンや駆動モータなどの振動は、駆動モータからモータ取付板に伝達される際に減衰し、ついで、モータ取付板に伝達された振動がモータ取付板に広がる際に減衰し、さらに、モータ取付板からの振動が第２クッション材および第１クッション材で減衰している。したがって、循環ファンや駆動モータなどの振動が断熱箱体などを介して、テスト部品に伝達されることを極力防止することができる。その結果、テスト部品が正常品であるにもかかわらず、不良品であると誤判断されることが減少する。
【００３２】
そして、前記駆動モータの取付フランジをモータ取付板に固定するモータ用ボルトの先端が、モータ取付板の下面から第１クッション材へ突出しているので、モータ取付板を第１クッション材上に載置する際の位置決めを容易に行うことができる。
【００３３】
また、モータ取付板のボルト用貫通孔の径と取付板用ボルトのネジ部の径との差が、前記駆動モータの取付フランジの貫通孔の径とモータ用ボルトのネジ部の径との差よりも大きいので、モータ取付板と取付板用ボルトとの接触が減少し、モータ取付板から断熱箱体への振動の伝達がさらに減少する。
【図面の簡単な説明】
【図１】  図１は実施の一形態の恒温庫の断面図である。
【図２】  図２は図１の要部拡大図である。
【図３】  図３は恒温庫の冷媒回路図である。
【図４】  図４は実施の一形態の恒温庫の運搬時の説明図で、（ａ）が要部断面図、（ｂ）が要部拡大断面図である。
【図５】  図５は従来の恒温庫の断面図である。
【符号の説明】
１  断熱箱体
３  庫内
４  循環ファン
６  冷却器
１６  ユニット格納室
１７  アングル材（構造部材）
１８  主支持脚
２１  下部横桁（構造部材）
２６  ユニットベース
３１  凝縮器
３２  圧縮機
３６  ユニット用支持脚
５１  駆動モータ
５１ａ  取付フランジ
５１ｂ  貫通孔
５２  モータ取付板
５２ｂ  ボルト用貫通孔
５３  モータ用ボルト
５６  第１クッション材
５８  第２クッション材
５９  押さえ板
６１  取付板用ボルト
【図１】
0003863784.tif 000002
【図２】
0003863784.tif 000003
【図３】
0003863784.tif 000004
【図４】
0003863784.tif 000005
【図５】
0003863784.tif 000006